(57)【特許請求の範囲】
【請求項１】
配水管から分岐させる給水管をサドル付分水栓体を介して接続するときの配水管に穿孔した給水管分岐穿孔に装着される防錆コアの装着状況を確認検査する防錆コアの装着状態確認検査装置であって、サドル付分水栓体における穿孔口に水密的に装着される取付ベースと、この取付ベースに取り付けられて穿孔口に配置される透明な透視プレートと、穿孔口内と連通して取付ベースに設けられている開閉自在なドレン機構と、透視プレートに嵌合されていて、透視プレートを輝光させるよう外部の光源を導入する導光部材とを備えて成ることを特徴とする配水管等からの給水管分岐穿孔における防錆コアの装着状態確認検査装置。
【請求項２】
配水管から分岐させる給水管をサドル付分水栓体を介して接続するときの配水管に穿孔した給水管分岐穿孔に装着される防錆コアの装着状況を確認検査する防錆コアの装着状態確認検査装置であって、サドル付分水栓体における穿孔口に水密的に装着される取付ベースと、この取付ベースに取り付けられて穿孔口に配置される透明な透視プレートと、穿孔口内と連通して取付ベースに設けられている開閉自在なドレン機構と、透視プレートを経て穿孔口内を照射する穿孔口照明機構とを備えて成り、穿孔口照明機構は、透視プレートに嵌合固定されていて、透視プレートを輝光させるよう外部の光源を導入する導光部材を有することを特徴とする配水管等からの給水管分岐穿孔における防錆コアの装着状態確認検査装置。
【請求項３】
穿孔口照明機構は、先端部が透視プレートに貫挿固定され、後端部が取付ベースの外側方に配置されている導光部材と、この導光部材の後端部に設けられている連繋部と、連繋部に取り付けられる光源とを備えている請求項２に記載の配水管等からの給水管分岐穿孔における防錆コアの装着状態確認検査装置。
【請求項４】
光源は、連繋部にねじ止めされる筒状のライトホルダー内にサーチライトを配装して成る照明源としたり、奥部が開口されていて、ラッパ状に拡開した集光部の後部に、連繋部にねじ止めされる筒状の取付部を一体形成した集光パネルと、集光部の奥部に向けられる適宜な光源灯とから成るものとしたりしてある請求項３に記載の配水管等からの給水管分岐穿孔における防錆コアの装着状態確認検査装置。
【請求項５】
ドレン機構は、透視プレートの周面に形成されたドレン溝と、このドレン溝に連通して取付ベース自体の側部に開口形成されたドレン口と、このドレン口に開閉自在にして止栓されるドレン弁とから成る請求項１乃至４のいずれかに記載の配水管等からの給水管分岐穿孔における防錆コアの装着状態確認検査装置。
【請求項６】
導光部材は、先端部が透視プレートに嵌合固定され、後端部が取付ベースの外側方に配置されている側面からみてほぼＬ字形に折曲されて成り、後端部は取付ベースに固定されている支持片に貫挿支持されている請求項１乃至５のいずれかに記載の配水管等からの給水管分岐穿孔における防錆コアの装着状態確認検査装置。
【発明の詳細な説明】
【技術分野】
【０００１】
本発明は、主として上水道用の本管である配水管から一般家庭その他の各顧客に上水を分岐供給させるよう給水管を配水管に接続するとき、配水管に開穿した給水管分岐穿孔における錆止め等のために給水管分岐穿孔内縁に強制装着される防錆コアの装着状態を、配水管を断水させることなく、簡易迅速に、しかも取り扱いも容易にして確認検査できるようにした配水管等からの給水管分岐穿孔における防錆コアの装着状態の確認検査装置に関する。
【背景技術】
【０００２】
上水道用の本管である配水管から各顧客に上水を供給するには、各顧客に通じる給水管を配水管からサドル付分水栓体を介して分岐接続している。すなわち分岐接続には、分岐箇所でサドル付分水栓体を装着しておき、分水栓体の開閉操作と共に、配水管に対する給水管分岐穿孔の穿孔、分水栓体への給水管の接続等を行い、また、穿孔した給水管分岐穿孔内縁から生じ得る錆を防止するために、錆止め用の防錆コアを給水管分岐穿孔に強制的に嵌め込み挿入している。
【０００３】
ところが、この防錆コアが給水管分岐穿孔内できっちりと嵌り込んでいないと、給水管分岐穿孔の穿孔端面に錆が発生し赤水や水の出不良の原因となり、装着不完全による防錆コア離脱に伴う異常音が発生することにもなる。そうすると、配水管を一時的に断水処理し、その不良箇所での掘削露出、再穿孔、錆の除去、防錆コアの装着等の一連の工事を再度実施せざるを得ず、しかも、この作業中の断水によって近隣住民等に対し多大な迷惑をかける結果となる。
【０００４】
こうした現況に鑑み、防錆コアの確実な装着、装着状況の確認検査等が作業終了後で実施される必要がある。これに応えるべく、本願発明者の冨永聡及び栗原茂が特許文献１に係る配水管等からの給水管分岐穿孔における防錆コアの装着状態の確認検査方法及びその確認検査装置を提案した。すなわち、その確認検査方法は、配水管における給水管の分岐部位に、配水管に穿孔される給水管分岐穿孔に連通されると共に給水管を接続させるサドル付分水栓体における穿孔口によって、給水管分岐穿孔に装着される錆止め用の防錆コアの装着状況を確認検査する確認検査方法において、穿孔口内部を透視可能とするよう、穿孔口に水密的に取り付けられた透明材製の透視覗き窓に照明部分を装入配置し、穿孔口内を照明して防錆コアの装着状況を視認することである。また、その確認検査装置は、配水管における給水管の分岐部位に、配水管に穿孔される給水管分岐穿孔に連通されると共に給水管を接続させるサドル付分水栓体における穿孔口によって、給水管分岐穿孔に装着される錆止め用の防錆コアの装着状況を確認検査する確認検査装置において、サドル付分水栓体における穿孔口に水密的に装着される取付ベースと、この取付ベースに取り付けられて穿孔口内に配置される照射部を備えた透明な透視覗き窓と、照射部を経て穿孔口内を照明する照明部分を有し、透視覗き窓に接続される内部照明機構とを備えたことである。
【先行技術文献】
【特許文献】
【０００５】
【特許文献１】特願２０１１−２３３７１７出願書類
【発明の概要】
【発明が解決しようとする課題】
【０００６】
この特許文献１による確認検査方法及びその確認検査装置によると、配水管に給水管を接続するときに配水管に穿孔した給水管分岐穿孔に強制装着される錆止め用の防錆コアの装着状態を、給水管を分岐させるためのサドル付分水栓体の穿孔口から直接に視認して確認検査できる。しかもその確認検査は、配水管を断水させることなく、そのサドル付分水栓体における開閉弁の開閉操作と関連して確認検査でき、その確認検査は作業現場において作業直後でも分岐箇所を直接に照明して視認することで、簡単に行うことができる利点が得られる。
【０００７】
ただ、このような従来の方法、装置によると、防錆コアが装着される穿孔口回りで生じている濁り水や残留気体等によって防錆コアの装着状況が明瞭には覗くことができないときもあり、また、その透明覗き窓に内部照明機構の例えば照明電球による穿孔口への照射用の光ファイバーの如き導光部材等をその都度挿入し、調整セットする必要があり、取扱いが面倒であった。
【０００８】
そこで本発明は上述したような従来に認められた諸欠点を解消すべく創出されたもので、その目的は、配水管に給水管を接続している給水管分岐穿孔に装着した錆止め用の防錆コアの装着状態を確認検査するとき、穿孔口回りで生じている濁り水や残留気体をスムーズに排水、排気して明瞭に視認できるようにし、また穿孔口に対する照射のための穿孔口照明機構を簡単迅速に取付使用でき、総じて確認検査作業を現場において簡易迅速に、しかも取り扱いも容易にして作業を遂行できるようにした配水管等からの給水管分岐穿孔における防錆コアの装着状態の確認検査装置を提供することにある。
【課題を解決するための手段】
【０００９】
上述した課題を解決するため、本発明にあっては、後述する発明を実施するための形態における使用符号を付記して説明すると、配水管（公設管及び私有管を含む、以下同様）Ｂから分岐させる給水管Ｐをサドル付分水栓体３０を介して接続するときの配水管Ｂに穿孔した給水管分岐穿孔Ｈに装着される防錆コアＣの装着状況を確認検査するもので、サドル付分水栓体３０における穿孔口３１に水密的に装着される取付ベース１と、この取付ベース１に取り付けられて穿孔口３１に配置される透明な透視プレート３と、穿孔口３１内と連通して取付ベース１に設けられている開閉自在なドレン機構１０と、透視プレート３に嵌合されていて、透視プレート３を輝光させるよう外部の光源（２６，Ｌ）を導入する導光部材２１とを備えて成ることを特徴とする。
あるいは、サドル付分水栓体３０における穿孔口３１に水密的に装着される取付ベース１と、この取付ベース１に取り付けられて穿孔口３１に配置される透明な透視プレート３と、穿孔口３１内と連通して取付ベース１に設けられている開閉自在なドレン機構１０と、透視プレート３を経て穿孔口３１内を照射する穿孔口照明機構２０とを備えて成り、穿孔口照明機構２０は、透視プレート３に嵌合固定されていて、透視プレート３を輝光させるよう外部の光源（２６，Ｌ）を導入する導光部材２１を有することを特徴とする。
ドレン機構１０は、透視プレート３の周面に形成されたドレン溝１１と、このドレン溝１１に連通して取付ベース１自体の側部に開口形成されたドレン口１２と、このドレン口１２に開閉自在にして止栓されるドレン弁１３とから構成することができる。
導光部材２１は、先端部が透視プレート３に嵌合固定され、後端部が取付ベース１の外側方に配置されている側面からみてほぼＬ字形に折曲されて成り、後端部は取付ベース１に固定されている支持片２２に貫挿支持されて構成することができる。
穿孔口照明機構２０は、先端部が透視プレート３に貫挿固定され、後端部が取付ベース１の外側方に配置されている導光部材２１と、この導光部材２１の後端部に設けられている連繋部２３と、連繋部２３に取り付けられる光源（２６，Ｌ）とを備えて構成することができる。
光源（２６，Ｌ）は、連繋部２３にねじ止めされる筒状のライトホルダー２５内にサーチライト２６を配装して成る照明源２４としたり、奥部が開口されていて、ラッパ状に拡開した集光部２７の後部に、連繋部２３にねじ止めされる筒状の取付部２８を一体形成した集光パネル２９と、集光部２７の奥部に向けられる適宜な光源灯Ｌとから成るものとしたりすることができる。
【００１０】
以上のように構成された本発明に係る配水管等からの給水管分岐穿孔における防錆コアの装着状態の確認検査装置にあって、配水管Ｂにおける給水管Ｐの分岐部位に取り付けられたサドル付分水栓体３０の穿孔口３１を経て給水管分岐穿孔Ｈに所定の手順によって防錆コアＣが取り付けられた後、穿孔口３１に装着されることで、穿孔口照明機構２０は穿孔口３１内を照射し、透視プレート３を経て防錆コアＣの装着を直接に視認させ、またドレン機構１０は穿孔口３１に生じている濁り水、残留気体等を外部に排水、排気して視認による防錆コアＣの装着状態の確認、検査を容易にさせる。
穿孔口照明機構２０における透視プレート３に嵌合した導光部材２１は、これの後端側に用意し配置した適宜な光源（２６，Ｌ）による照射光を透視プレート３で輝光させて穿孔口３１を照射し、透視プレート３を経ての給水管分岐穿孔Ｈに装着した防錆コアＣの装着状態を直接に視認させる。
ドレン機構１０は、穿孔口３１に生じている防錆コアＣの装着作業時での濁り水、残留気体等を、これの開放操作によって外部に排水、排気させ穿孔口３１を清浄な上水のみの雰囲気にさせ、透視プレート３を経ての防錆コアＣの装着状況の検査確認作業を円滑に遂行させる。
また、後端部が取付ベース１の外側方に配置される導光部材２１は、この後端部に適宜な光源（２６，Ｌ）を用意し、配置することで穿孔口３１内を直ちに照射でき、支持片２２による貫挿支持で導光部材２１自体の透視プレート３に対する支持安定性を確実にさせる。
光源（２６，Ｌ）は、導光部材２１の後端部に設けた連繋部２３にライトホルダー２５を介してのサーチライト２６、あるいは集光パネル２９にて集光される適宜な光源灯Ｌを利用でき、現場状況その他に応じて適宜に選択させる。
【発明の効果】
【００１１】
本発明は以上説明したように構成されているため、配水管Ｂに給水管Ｐを接続している給水管分岐穿孔Ｈに装着した錆止め用の防錆コアＣの装着状態を確認検査するとき、穿孔口３１回りで生じている濁り水や残留気体をドレン機構１０の開放によってスムーズに排水、排気して透視プレート３を経て明瞭に直接に視認可能にする。また、穿孔口３１に対する照明光の照射のための穿孔口照明機構２０は、その導光部材２１が透視プレート３に嵌合固定してあることで、適宜な光源（２６，Ｌ）の選定と共に導光部材２１を経ての穿孔口３１内の照射を直ちに実施でき、総じて検査確認作業を現場において簡易迅速に、しかも取り扱いも容易にして遂行できる。
【００１２】
すなわちこれは本発明において、サドル付分水栓体３０の給水管分岐穿孔Ｈに装着される取付ベース１、取付ベース１に取り付けられて穿孔口３１に配置される透明な透視プレート３、穿孔口３１内と連通して取付ベース１に設けた開閉自在なドレン機構１０、透視プレート３に嵌合され、光源（２６，Ｌ）の照射光を導入する導光部材２１を備えて成るからであり、これによって、穿孔口３１に生じる濁り水・残留気体の排水・排気、外部で用意された光源（２６，Ｌ）からの導光部材２１による穿孔口３１の照射等によって、防錆コアＣの装着状況の検査確認を容易に行わせる。
【００１３】
また、穿孔口照明機構２０は、透視プレート３に嵌合されていて、透視プレート３を輝光させるよう外部の光源（２６，Ｌ）を導入する導光部材２１を有し、取付ベース１による穿孔口３１への装着後で、適当な例えばライトホルダー２５内の小型のサーチライト２６、集光パネル２９による既製のライト等による適宜な光源灯Ｌを導光部材２１の後端部で用意し配置することで穿孔口３１回りを直ちに照射できる。しかも、この導光部材２１は側面からみてＬ字形に折曲されていて、後端部は取付ベース１の外側方に配置されているから、光源（２６，Ｌ）の配置によっても透視プレート３を経た穿孔口３１の直接の視認作業の邪魔になることもない。
【００１４】
更に、導光部材２１は、取付ベース１に固定されている支持片２２に貫挿支持されていることで導光部材２１ひいては取付ベース１と一体的に構成されているから、取り扱いも容易であり、現場においての取付ベース１の装着セットと共に簡易迅速に行え、直ちに検査確認作業を開始できる。
【００１５】
穿孔口３１内と連通して取付ベース１に設けられている開閉自在なドレン機構１０は、透視プレート３の周面に形成されたドレン溝１１、このドレン溝１１に連通して取付ベース１自体の側部に開口形成されたドレン口１２、このドレン口１２に開閉自在にして止栓されるドレン弁１３を備えるから、給水管分岐穿孔Ｈの開穿作業、防錆コアＣの装着作業等で穿孔口３１回りに生じている濁り水・残留気体等をドレン弁１３の開放によって外部に簡単に排水・排気できる。そのため、穿孔口照明機構２０の照明による穿孔口３１の照明時における透視プレート３を経ての視認作業に何らの支障を与えることなく、その検査確認作業を容易に行わせることができる。
【００１６】
また、穿孔口照明機構２０は、導光部材２１の後端部に設けられている連繋部２３と、連繋部２３に取り付けられる照明源２４とを備えており、この照明源２４は、連繋部２３に連繋されるライトホルダー２５内に例えば小型のサーチライト２６を配装したり、ラッパ状の集光部２７の後部に、連繋部２３に連繋される取付部２８を一体形成した集光パネル２９と、集光部２７の奥部に向けられる例えば既製のライトの如き光源灯Ｌとから成るものとしたりしてあるから、導光部材２１に連繋するライトホルダー２５によるサーチライト２６、集光パネル２９による光源灯Ｌのいずれかを現場の状況等によって選択でき、便利である。
【００１７】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１８】
【図１】本発明を実施するための一形態を示す確認検査時の使用状態における正断面図である。
【図２】同じく確認検査装置自体の概要斜視図である。
【図３】同じく透視プレートを示すもので、その（ａ）は正面図、（ｂ）は底面図である。
【図４】同じくドレン機構における排水・排気時の正断面図である。
【図５】同じく他のドレン機構を示す装着時の正断面図である。
【図６】同じく他の照明方法によった場合の集光プレートを連結したときの要部正断面図である。
【発明を実施するための形態】
【００１９】
以下、図面を参照して本発明を実施するための一形態を説明すると、図において示される符号１は上水道用の本管である公設、私有等に係る配水管Ｂ等に装着したサドル付分水栓体３０における穿孔口３１に着脱自在に取り付け固定される取付ベースである。この取付ベース１には、穿孔口３１を閉塞した状態で穿孔口３１内を直接に覗かせる透明な例えばアクリル樹脂等の合成樹脂製の透視プレート３が設けられている。そして、取付ベース１ないし透視プレート３に配した穿孔口照明機構２０による照明と共に、この透視プレート３を経て穿孔口３１内を覗き、配水管Ｂに穿孔した給水管分岐穿孔Ｈに嵌め入れられる錆防止用の防錆コアＣの装着状況を直接に視認、確認できるようにしてある。
【００２０】
取付ベース１は、サドル付分水栓体３０における穿孔口３１を利用して取り付けられるよう、例えば穿孔口３１にねじ止めされることで、穿孔口３１の上部を透視プレート３と共に水密的に閉塞するように頂壁部、周壁部から成るキャップ状を呈する袋ナットから成り、周壁部内周面には、穿孔口３１の雄ネジにねじ込まれる雌ネジが形成されている。尚、この取付ベース１自体は、穿孔口３１へのねじ止め後では、上水が有している供給水圧によっても離脱されないようにしてあり、また、後述する頂壁部に開口形成した開口窓部２によって、いわば筒状を呈するように構成されている。尚、この取付ベース１の外周上部には、取付ベース１自体をサドル付分水栓体３０に装着する際のレンチ等によるねじ止め操作を容易にするため、例えば対向位置で切欠段部９を形成してある（図２参照）。
【００２１】
この取付ベース１の頂壁部３４には、頂壁部３４に開口形成した開口窓部２に嵌め込まれることで透視プレート３が設けられており、図示例にあっての透視プレート３は、開口窓部２に取付ベース１の内方側から嵌め合わせられる嵌合部４を上部に、穿孔口３１内に至るようにした照射部６を下部に配することで例えばアクリル樹脂等の透明素材にて、段部を有する円柱状を呈する如く一体に形成されている。嵌合部４は、開口窓部の内径に比し大きくはない外径にした嵌合部分と、開口窓部２の周縁である頂壁部３４の内側面に当接するよう開口窓部２の内径に比し大径にした段状の当接部分とから成る。尚、嵌合部分は開口窓部２内にぴったりと嵌り込み、当接部分は開口窓部２の内周縁にがたつくことなく、また嵌合部分の外周面に配した例えばＯリングを介することで水密状となるように当接させておくことが望ましい。また、図示例のように、取付ベース１が穿孔口３１にねじ止めされるとき、嵌合部４の段状の当接部分下面は穿孔口３１の上端面に例えばガスケット材７を介して水密的に接合し、上水を開口窓部２、穿孔口３１から漏出させないようにしている。
【００２２】
また、この透視プレート３の上部には、図示例のように取付ベース１の頂壁部上に突出する突出支持部５が嵌合部４と一体に形成されており、この突出支持部５の上面周縁を抑える縁部を有して取付ベース１の頂壁部３４に当接する支持リング８を突出支持部５の外周に嵌め合わせ、ビス３５止め固定してある。
【００２３】
照射部６は、穿孔口３１の内径に比し大きくはない外径に形成されており、透視プレート３自体が嵌合部４によって取付ベース１の頂壁部３４に嵌め合わされたときで取付ベース１の下部内に位置決め配置された状態となっている。そして、取付ベース１が穿孔口３１にねじ止めされたときには穿孔口３１内に配置されることで、穿孔口照明機構２０によって照明されるとき、この照射部６による輝光乱射で穿孔口３１内が照射されるようにしている。また、穿孔口３１内に配置されたとき、後述するサドル付分水栓体３０の弁座３３内の開閉弁３２の開閉作動を阻害しない長さ（高さ）となっており（図１参照）、開閉弁３２が開放されたときには上水中に浸漬状態となるも、開口窓部２から上水を漏水させないようにしている。
【００２４】
また、取付ベース１には、穿孔口３１内と連通する開閉自在なドレン機構１０が設けられている。このドレン機構１０は、透視プレート３の周面に形成されたドレン溝１１と、このドレン溝１１に連通して取付ベース１自体の側部に開口形成されたドレン口１２と、このドレン口１２に開閉自在にして止栓されるドレン弁１３とから成る。
【００２５】
ドレン溝１１は、例えば図３に示すように、透視プレート３の下方から嵌合部４における半ば位置、すなわち前記Ｏリング位置の下方位置までに段状の当接部分を経て透視プレート３の上下方向に沿って溝状に形成されており、透視プレート３の周面に例えば９０度間隔で配されている。
【００２６】
ドレン口１２は、ドレン溝１１の上部に位置させて取付ベース１の側部、例えば頂壁部３４あるいは周壁部に外部と連通する孔状に形成されており、ドレン口１２自体の内周面に形成した雌ネジによってドレン弁１３がねじ止めされている。
【００２７】
ドレン弁１３は、図１に示す例にあっては、ドレン口１２内の奥部までに十分にねじ込まれたときにはドレン口１２を閉塞し、緩めたときには自身に形成してあるドレン孔がドレン口１２に通じるようにして、ドレン口１２に進退自在にねじ止めされるものとしてある（図４参照）。図５に示す例にあっては、ドレン口１２に連通して外部に通じるドレン通路と、このドレン通路を開閉させる開閉弁とを有して、ドレン口１２にねじ止めされる弁構造のものとしてある。
【００２８】
穿孔口照明機構２０は、先端部が透視プレート３に貫挿固定され、後端部が取付ベース１の外側方に配置されている導光部材２１と、この導光部材２１の後端部に設けられている連繋部２３と、連繋部２３に取り付けられる照明源２４とを備えて成る。
【００２９】
導光部材２１は、導光性のある透明な例えばアクリル樹脂等の所定径の合成樹脂製の芯材にて形成されていて、導光部材２１内の照射光を外部に漏出させないように適当な薄膜状の保護材にて外周面は被覆されている。そして、図示のように透視プレート３における嵌合部４に突出支持部５上面から嵌合されている嵌合部分と、突出支持部５上で取付ベース１の外側方に延びている外出部分とから側面からみてほぼＬ字形に折曲されて成る。図示にあって、嵌合部分の先端は透視プレート３における照射部６の上方に位置決めされていて、導光部材２１の先端から照射される照明光は照射部６内で輝光されて穿孔口３１内を照射するようにしてある。
【００３０】
また、この導光部材２１は、その外出部分が取付ベース１、具体的には例えば前記支持リング８にビス３６止め固定されている支持片２２に貫挿されていることで取付ベース１に支持されており、連繋部２３による光源（２６，Ｌ）との安定した連繋状態が維持できるようにしている。
【００３１】
連繋部２３は、外周面に例えば雄ネジが形成されていて、導光部材２１の後端部外周に固定されていて、導光部材２１の後端面をそのまま露呈させている。
【００３２】
この連繋部２３に連繋される光源（２６，Ｌ）は、図１にあっては、連繋部２３にねじ止めされる筒状のライトホルダー２５内に、例えば回転式スイッチによってＯＮ−ＯＦＦされる例えばＬＥＤ光源を備えた小型のサーチライト２６を配装して成る照明源２４としてある。この光源のサーチライト２６によると、ライトホルダー２５によって連繋部２３にねじ止めした状態で光源がＯＮされることで、導光部材２１を経て穿孔口３１内を照射できる。
【００３３】
また、図６にあっては、奥部が開口されていて、ラッパ状に拡開した集光部２７の後部に、連繋部２３にねじ止めされる筒状の取付部２８を一体形成した集光パネル２９と、集光部２７の奥部に向けられる例えば懐中電灯の如き既製のライトによる適宜な光源灯Ｌとから成る。これによると、集光パネル２９を連繋部２３にねじ止めして光源灯Ｌにて照射すれば良い。尚、光源灯Ｌは既製のライトによらずに、十分な明るさがある自然光にて代用することも可能である。
【００３４】
これらの複数の光源（２６，Ｌ）は、図２に示すように、例えばライトホルダー２５の後部から外出させたサーチライト２６に連結した連繋部材Ｊによって集光パネル２９を連繋させておいても良い。こうすることでライトホルダー２５によるサーチライト２６、集光パネル２９による適宜な光源灯Ｌのいずれでも現場において選択できる利便性が得られる。
【００３５】
次にこれの使用の一例を説明するに、配水管Ｂに給水管Ｐを分岐接続するとき、その接続部位で装着されたサドル付分水栓体３０における穿孔口３１を経て穿孔機（図示せず）にて給水管分岐穿孔Ｈを穿孔し、次いで、この給水管分岐穿孔Ｈに挿入機（図示せず）にて防錆コアＣが所定の作業手順に従い装着された段階で、防錆コアＣの装着状況を確認検査する。
【００３６】
確認検査に際し、サドル付分水栓体３０における開閉弁３２を閉塞させた状態で、取付ベース１を穿孔口３１にねじ止めする等によって装着すると共に、穿孔口照明機構２０のライトホルダー２５内のサーチライト２６、あるいは集光パネル２９による適宜な光源灯ＬのいずれかのＯＮ操作で導光部材２１を経て穿孔口３１内を照射しておく。一方、開閉弁３２を開放して上水を穿孔口３１内に充満させ、照明された穿孔口３１内を透視プレート３を経て直接に覗き込むこと等で防錆コアＣの装着状況を確認する。このとき、穿孔口３１内で濁り水、残留気体等で生じている場合にはドレン機構１０の開放操作によってこれらを排水、排気させれば良い。防錆コアＣが正位置に装着されていれば防錆コアＣの装着作業は終了となり、もし傾斜していたり、歪んでいたりすれば取り外し後に別の防錆コアＣの装着作業を再度実施する。
【符号の説明】
【００３７】
Ｂ…配水管                              Ｃ…防錆コア
Ｈ…給水管分岐穿孔                      Ｊ…連繋部材
Ｐ…給水管                              Ｌ…光源灯
１…取付ベース                          ２…開口窓部
３…透視プレート                        ４…嵌合部
５…突出支持部                          ６…照射部
７…ガスケット材                        ８…支持リング
９…切欠段部
１０…ドレン機構                        １１…ドレン溝
１２…ドレン口                          １３…ドレン弁
２０…穿孔口照明機構                    ２１…導光部材
２２…支持片                            ２３…連繋部
２４…照明源                            ２５…ライトホルダー
２６…サーチライト                      ２７…集光部
２８…取付部                            ２９…集光パネル
３０…サドル付分水栓体                  ３１…穿孔口
３２…開閉弁                            ３３…弁座
３４…頂壁部                            ３５…ビス
３６…ビス
【要約】      （修正有）【課題】防錆コアの装着状態を確認検査するとき、確認検査作業を現場において簡易迅速に、しかも取り扱いも容易にして作業を遂行できるようにした配水管等からの給水管分岐穿孔における防錆コアの装着状態の確認検査装置を提供する。【解決手段】配水管Ｂの給水管分岐穿孔Ｈ部位に配したサドル付分水栓体３０の穿孔口３１に装着する取付ベース１と、取付ベース１に取り付けて穿孔口３１に配置する透明な透視プレート３と、穿孔口３１内と連通して取付ベース１に設けた開閉自在なドレン機構１０と、透視プレート３に嵌合させて透視プレート３を輝光させるよう外部の光源２６を導入する導光部材２１とを備える。【選択図】図１【図１】
0005590631.tif 000002
【図２】
0005590631.tif 000003
【図３】
0005590631.tif 000004
【図４】
0005590631.tif 000005
【図５】
0005590631.tif 000006
【図６】
0005590631.tif 000007